(57)【特許請求の範囲】
【請求項１】
衣服の内、シャツ叉は作業用上着叉は運動用上着（以下上着本体と言う）の胸部外側に設けられる上方開口のポケットにおいて、該ポケットには同ポケット口から上方とポケット内下方に連設する一定の縦長さと横幅を持つ飛び出し防止壁を、その飛び出し防止壁の上端と下端を上着本体に固着して取り付け、同飛び出し防止壁のポケット内に位置する側辺部は、ポケット内の空間と連通する構成で、同飛び出し防止壁の外側と内側に収納部を備え、前記飛び出し防止壁のポケット口から上方の左右の側辺の内、少なくとも上着本体中央側の側辺部より、飛び出し防止壁内の収納部に収納物を出し入れ納置自在にしたことを特徴とするポケットの飛び出し防止構造。
【発明の詳細な説明】
【技術分野】
【０００１】
本発明は、衣類のポケットの内シャツ又は作業用上着又は運動用上着（以下上着と言う）などの胸部外側に設けられる上方開口のポケットで、そのポケットの収納物の飛び出し防止を図ったポケット構造に関する。
【背景技術】
【０００２】
従来の上着の胸部ポケットには、出し入れ時の使い勝手を重視したポケット口が常時開いたポケット構造と、ポケット口の一部又は全部をボタンやスナップ留め、又はマジックテ-プ（登録商標）やファスナ-（登録商標）で塞ぎ不規則な姿勢によるポケットからの収納物の飛び出しを防止する構造のものがある。
【０００３】
【特許文献１】実開平０１−００２０２２
【特許文献２】実公昭３６−０２１９０７
【特許文献３】特開平１１−０８１０１７
【発明の開示】
【発明が解決しようとする課題】
【０００４】
以上に述べたポケット口が常時開放したポケットでは収納物が飛び出し易いと言う問題があり、また、ボタンやスナップ及びマジックテ-プ（登録商標）やファスナ-（登録商標）などでポケット口を塞ぐ方法では、塞ぎ部を出し入れのたびに開閉しなければならないという面倒しさを伴なうと共に、携帯電話機などの一定の重さを持つ収納物の姿勢が一定せず納置の安定を損ね、ポケットの型崩れなどによる見栄えを害するものになっていた。
【０００５】
本発明は、このような従来の問題を解決しようとするものであり、従来の上方開口のポケットに二つの収納部を形成し、その両収納部からの収納物の飛び出しを防止するポケットを提供することを目的としている。
【課題を解決するための手段】
【０００６】
そして、本発明は上記目的を達成するために図面に基づいて説明すると図1〜図３で示す実施例では、上着左胸部に設けられた従来の上方開放のポケットに、ポケットの横幅よりやや小さくポケット口上端から上方とポケット内下方にまたがる一定の縦長さからなる飛び出し防止壁で、その飛び出し防止壁の上端と下端を上着本体に固着して取り付け、同飛び出し防止壁の上端横形状を、上着中央側（以下右側と言い上着中央反対側を左側と言う）から左側に向って横辺と立下り傾斜辺からなる変形への字状の形状とし、底部となる下端形状を横水平形状としている。そして、その飛び出し防止壁を挟んで内側と外側に収納部を形成している。
【０００７】
そして、図４〜図６で示す様に、飛び出し防止壁のポケット口上方の右側辺の開口部より、収納物（主に携帯端末）を横向きに近い状態で飛び出し防止壁内側に挿入納置し、外側の収納部は従来のポケットの機能を変えることなく上方の開口部から出し入れするものである。
【０００８】
また、図７で示す飛び出し防止壁の変形の実施例では、飛び出し防止壁の底部となる下端を左側から右側に低くなる斜め傾斜形状とし、飛び出し防止壁のポケット口上方で、その上方の右側辺寄りの任意の高さ位置には、上着本体と飛び出し防止壁の一部をボタン又はスナップ等で開閉自在に接続する接続部が設けられ、その接続部を閉じると、ポケット口上端から接続部間に一定の高さの開口部が形成され、その右側辺開口部より横向きに近い状態で飛び出し防止壁内に出し入れする構成にしている。
【０００９】
そして、図８で示す様に前記接続部を解除すると、側辺部の開口高さを大きく拡大調整できるものとなり、その開口部より大きな収納物を出し入れ可能とするものである。そして、挿入された収納物は、傾斜した底部で保持され常に出し入れ口側に傾いた傾斜姿勢となる。
【００１０】
また、図９で示す使用例のごとく、ポケット口から上方の側辺開口部より挿入困難な大きな収納物を挿入する場合、ポケット口上端の一部と飛び出し防止壁の側辺の一部をポケット中央側（左側）の下方前方に向けて押し広げ、側辺部に収納物の横幅より大きな傾斜間口を形成し、出し入れすることも可能とする変形自在な縦長さを持つ飛び出し防止壁の構造である。
【００１１】
そして、図1０で示す使用例では、飛び出し防止壁内の収納物の姿勢は、前傾姿勢で飛び出そうとするとき図11で示す一定の角度に傾斜した場合においては、その傾きの角度が小さい程収納物の飛び出し方向の傾斜間口幅は、収納物の横幅より小さいものとなり一定の角度内では、収納物の上端角部と側辺の一部が飛び出し防止壁の上端とポケット口の側端に介接して飛び出しを防ぐものである。また、ポケット口側端点１６ａと飛び出し防止壁の右側辺１５ａの横間隔２９を狭くする程、傾斜間口幅は小さなものとなり飛び出し防止効果を高める。
【００１２】
また、図１２で示す飛び出し防止壁の内側と外側の収納部内にそれぞれ収納した状態で前傾姿勢になると、飛び出し防止壁内の収納物の重みの圧力が外側の収納物にかかり、その収納物の滑り出しを抑制することができる。
【００１３】
また、図１３で示す飛び出し防止壁下端の底部を傾斜形状にすると、収納物を常に一定の方向の傾斜姿勢で納置することができる。
【発明の効果】
【００１４】
上述したように本発明のポケットは、従来の上方開放のポケットに飛び出し防止壁を設けることにより、飛び出し防止壁の内側と外側に重なる２つの収納部を形成することができ、飛び出しを抑制する内側の収納部に対し外側の収納部は従来の上方開放のポケットとしての機能を維持することが出来る。
【００１５】
そして、飛び出し防止壁内への出入り口を、主な収納物となる携帯電話機の横幅よりやや大きい横向き開口高さにすると、主なポケットの傾き姿勢となる前傾姿勢時の飛び出し防止壁内の収納物は、防止壁の上方に向って滑り出そうとする力が働き横向きの口からは飛び出し難いものとなる。（図４、図１１参照）
【００１６】
そして、飛び出し防止壁下方部はポケット内に設けられている為、飛び出し防止壁内側の下方の収納部横幅空間は、飛び出し防止壁外側のポケット内横幅空間と共有（連通）する構成で、飛び出し防止壁の横幅より広い収納空間を得ることができ、一定の大きさの収納物の出し入れ及び納置が容易となる。（図４〜図６参照）
【００１７】
また、収納物の出入り口となる側辺開口高さをボタン又はスナップで調整可能にすると、大きさの異なる収納物に効果的に対応できるものとなる。（図７、図８参照）
【００１８】
また、飛び出し防止壁の底部を収納物が余り沈まない深さで斜め傾斜にすると、四角形状の収納物は常に出入り口に近い斜め傾斜に納置される為、収納の安定と操作が容易になるとともに、上端と下端を固着した飛び出し防止壁内の収納物は体に密着状態となり、更に収納の安定とポケットの型崩れを防ぐものとなる。（図１３参照）
【００１９】
また、飛び出し防止壁外側のポケット収納部は従来のポケット機能を果たすととに、その収納物の飛び出しを抑えるもので、たとえば、飛び出し防止壁内に一定の重さと大きさを持つ携帯電話機などの端末を納置し、外側の収納部に比較的軽い手帳や名刺及びか-ド入れ又はメガネやタバコなどを納置すると、ポケットが傾いた場合内側の端末の重みで外側の収納物が押し圧され、その押し圧力で収納物が飛び出しにくくなると言う大きな相乗効果を生むものとなる。（図１２参照）
【００２０】
以上の様に、従来の上方開口のポケット構造を変えることなくそのポケットに長四角形状の飛び出し防止壁を設けることにより、二重になった収納部のどちらの収納物の飛び出しも抑制することができる安価な構造体のポケットである。
【発明を実施するための最良の形態】
【００２１】
以下、本発明の実施の形態を図１〜図１３に基づいて説明する。
【００２２】
図１〜図３で示される実施例の内図１は、上着本体３０の左胸部に設けられるポケット３１ａの正面図を示し、図２は図１の平面図を示し、図３は図１の縦断面図を示している。ポケットに設ける飛び出し防止壁５ａは、ポケットの間口幅２０よりやや小さい横幅６とポケット口上端３３から上方の上部縦長さ８ａとポケット内下方のポケット底３４近くまで伸延する下部縦長さ９ａからなる縦長さ７ａを持つ長四角形状で、その縦長さ７ａ間の内側横方向を貫通状態にし、上着中央側から反対側に向って横辺と斜め傾斜に立ち下がる辺を持つ上端形状部と下端の底部１１ａを形成する横辺部を上着本体３０に固着して取り付け、飛び出し防止壁５ａの内側と外側のポケット内にそれぞれ収納部２８ｂ，２８ａを具備している。
【００２３】
そして、飛び出し防止壁５ａの上着中央側となる右側辺１５ａの内、ポケット口上端３３より上方の上部右側辺開口高さ１３ａ部より、横向きに収納物３５ａを収納部２８ｂ内に出し入れする構成である。そして、もう一方の左側辺１５ｂ上部の上部左側辺開口高さ１４ａは、右側の開口高さより小さい形状にしている。
【００２４】
図４〜図６で示す実施例の内図４は、前記図1〜図３で示すポケット３１ａの使用例の正面図を示し、図５は図４のＸ３-Ｘ３線の横断面図を示し、図６は図４のＸ４-Ｘ４線の縦断面図を示している。ポケット口側端点１６ａと右側辺開口上端点１６ｂを結んだ結び線４０方向は傾斜角２３ａの大きさで傾き、その結び線の長さ間隔で最も大きな傾斜間口幅２１ａが形成され、その間口幅を収納物３５ａの横幅３６ａよりやや大きくすると出し入れが容易となる。
【００２５】
また、上部右側辺開口高さ１３ａの一定の高さ間では、ポケット口側端点１６ａと右側辺１５ａの横間隔２９を小さくする程、前記２点１６ａ，１６ｂを結ぶ傾斜角２３ａは小さくなると共に傾斜間口幅２１ａも小さくなる構成である。
【００２６】
そして、上部右側辺開口高さ１３ａ部を押し広げ前記２点を結ぶ結び線４０と直角２４方向の最も大きな傾斜間口幅２１ａを利用した出し入れ方向２５ａに収納物３５ａを出し入れするのが最も良方向でとなる。そして、飛び出し防止壁５ａ内の収納部２８ｂに挿入された収納物は任意の姿勢で底部１１ａで保持されている。
【００２７】
図７、図８で示されるポケット３１ｂの実施例では、ポケット口上端３３より上方に上部縦長さ８ｂとポケット内下方に下部縦長さ９ｂを持つ縦長さ７ｂからなる飛び出し防止壁５ｃは、その下端部を横幅６間に渡って上着中央側が低い斜め傾斜の取付けで底部１１ｂを形成し、上方の上部縦長さ間の中間高さよりやや上方で右側辺１５ａ近くには、上着本体と飛び出し防止壁の一部を開閉自在にボタン又はスナップ等１２で接続する接続部１９を設けている。
【００２８】
そして、図７で示す接続部１９を閉じるとポケット口上端３３から接続部１９間に、収納物の出し入れ口となる上部右側辺開口高さ１３ｃが形成され、その接続部１９と下方のポケット口側端点１６ａを結んだ結び線４０方向は傾斜角２３ｂ大きさで傾き、その結び線の長さ間隔で最も大きい傾斜間口幅２１ｂを形成する。そして、傾斜間口幅２１ｂを最も有効に生かす前記結び線４０に対し直角２４の出し入れ方向２５ｂに収納物３５ａを出し入れするのが最も好まし方向となる。
【００２９】
そして、図８で示す接続部１９を開放すると大きな上部右側辺開口高さ１３ｂとなり、上方の右側辺開口上端点１６ｂと下方のポケット口側端点１６ａを結ぶ傾斜角２３ｃの大きさで傾いた結び線４０と直角２４の出し入れ方向２５ｃに最も大きな傾斜間口幅２１ｃを形成し、その間口幅より小さい横幅３６ｃの収納物３５ｃを出し入れする。
【００３０】
よって、図７、図８で示す実施例は、接続部１９の開閉により収納物の大きさに対応するよう傾斜間口幅の大きさを調整可能とするものにしている。そして、収納物は飛び出し防止壁の底部１１ｂの傾斜形状により、常にポケット上方の出し入れ口方向に向いた傾斜姿勢で納置されることとなる。
【００３１】
図９は、図４で示す実施例のポケット３１ａに大きな収納物３５ｂを出し入れする使用例を示し、飛び出し防止壁５ａの右側辺１５ａの一端とポケット口上端３３の一端を横方向の下方前方方向に押し広げ、任意の出し入れ方向２５ｄに対し右側辺１５ａとポケット口上端３３の変形後の交点となる変形下端点１７と右側辺開口上端点１６ｂ間に、収納物の横幅３６ｂより大きい傾斜間口幅２１ｄを形成し、変形前の傾斜間口幅より大きい収納物を収納することができる。
【００３２】
図１０で示す実施例では、前傾姿勢時のポケット３１ａの収納物が飛び出し防止壁５ａの上方で受け止められた状態の横からみたポケットの縦断面をを示している。
【００３３】
図１１で示される実施例では、図１０の前傾姿勢時のポケット３１ａを正面から見てそれを起こした図を示し、飛び出し防止壁５ａ内の収納物３５ａは任意の角度の飛び出し方向２７に飛び出そうとすると、その方向の傾斜間口幅２２は収納物の横幅３６ａより小さく飛び出しを防止している。したがって、飛び出し方向が横向きに近い傾斜姿勢に成る程、その飛び出し方向の傾斜間口幅は大きくなり飛び出しの危険が増すものとなる。そこで、ポケット口側端点１６ａと飛び出し防止壁の右側辺１５ａの横間隔２９を狭くすると傾斜間口幅は小さくなり飛び出しの危険を抑制することとなる。
【００３４】
図１２は、図１０の変形の使用例の要部拡大図を示し、飛び出し防止壁５ａ内側の収納部２８ｂと外側のポケット内収納部２８ａにそれぞれ収納物３５ａ、３５ｄが納置されると、飛び出し防止壁５ａの上方で受け止められた収納物３５ａに対し、飛び出し防止壁外側の収納物３５ｄには、内側の収納物３５ａの重みによる圧力がかかり、収納物３５ｄの飛び出しを自動的に防ぐものとなっている。
【００３５】
図１３で示される実施例で、飛び出し防止壁５ｂ下端の傾斜した底部１１ｂに受け止められた収納物３５ａは、取り出し方向となる傾斜間口幅２１ａ部方向に向いた操作が容易な傾斜姿勢となっている。
【図面の簡単な説明】
【００３６】
【図１】本発明の実施例を示す正面図である。
【図２】図１のＸ１−Ｘ１線による矢視図である。
【図３】図１のＸ２−Ｘ２線による矢視図である。
【図４】図１で示す実施例の使用例を示す正面図である。
【図５】図４のＸ３−Ｘ３線による矢視図である。
【図６】図４のＸ4−Ｘ４線による矢視図である。
【図７】本発明の実施例とその使用例を示す正面図である。
【図８】図７の変形の使用例を示す正面図である。
【図９】図４の変形の使用例を示す正面図である。
【図１０】本発明の前傾姿勢での使用例を示す要部縦断面図である。
【図１１】図１０のＸ５−Ｘ５線による矢視図を起こした図である。
【図１２】図１０の変形の要部拡大図である。
【図１３】本発明の実施例の使用例を示す正面図である。符号の説明
【００３７】
５ａ、５ｂ、５ｃ、５ｄ：飛び出し防止壁
６：横幅
７ａ、７ｂ：縦長さ
８ａ、８ｂ：上部縦長さ
９ａ，９ｂ：下部縦長さ
１１ａ、１１ｂ：底部
１２：ボタン又はスナップ等
１３ａ，１３ｂ，１３ｃ：上部右側辺開口高さ
１４ａ、１４ｂ：上部左側辺開口高さ
１５ａ：右側辺
１５ｂ：左側辺
１６ａ：ポケット口側端点
１６ｂ：右側辺開口上端点
１７：変形下端点
１９：接続部
２０：間口幅
２１ａ，２１ｂ，２１ｃ、２１ｄ、２２：傾斜間口幅
２３ａ、２３ｂ：傾斜角
２４：直角
２５ａ，２５ｂ，２５ｃ，２５ｄ：出し入れ方向
２７：飛び出し方向
２８ａ，２８ｂ：収納部
２９：横間隔
３０：上着本体
３１ａ、３１ｂ，３１ｃ：ポケット
３２：ポケット本体
３３：ポケット口上端
３４：ポケット底
３５ａ、３５ｂ、３５ｃ、３５ｄ：収納物
３６ａ、３６ｂ、３６ｃ：横幅
４０：結び線
【要約】
【課題】従来のシャツなどの上着の胸部に設けられる収納物の飛び出しを防ぐポケットは、ポケット口をボタンなどで留めて防いでいたが、収納物の出し入れごとにポケット口の開閉を行わなければならないという不便な問題があった。
【解決手段】従来の上方開放のポケットに、そのポケット口から上方とポケット内下方に連設する縦長い飛び出し防止壁５ａが上端と下端を上着本体３０に縫着して設けられ、その長四角形状の飛び出し防止壁を挟んで内側と外側にそれぞれ収納部を備え、ポケット口上端３３から上方の飛び出し防止壁の右側辺開口高さ１３ａ部より収納物を横向きに近い状態で内側の収納部２８ｂに出し入れ及び納置を行ない、飛び出し防止壁の上端を塞ぐことにより飛び出しを防ぐことができる。そして、外側の収納部は従来と同じく上部の開口部から出し入れするポケット構造である。
【選択図】    図１【図１】
0004162255.tif 000002
【図２】
0004162255.tif 000003
【図３】
0004162255.tif 000004
【図４】
0004162255.tif 000005
【図５】
0004162255.tif 000006
【図６】
0004162255.tif 000007
【図７】
0004162255.tif 000008
【図８】
0004162255.tif 000009
【図９】
0004162255.tif 000010
【図１０】
0004162255.tif 000011
【図１１】
0004162255.tif 000012
【図１２】
0004162255.tif 000013
【図１３】
0004162255.tif 000014